(57)【要約】      （修正有）【課題】シールドカバーを簡単に取り外し／取り付けできるマスクの構造を提供する。【解決手段】マスクの構造は、メインフレーム２、シールドカバー４、下顎ブラケット３、１組の耳掛けベルト３５を備える。シールドカバー４下縁はメインフレーム２上に結合し、メインフレーム２と共同で弧状曲面を形成し、メインフレーム２中段には、固定プレート１を係合して組み合わせる。固定プレート１と、下顎ブラケット３は可動接続部３１を介して角度を調整可能に接続される。下顎ブラケット３両側には対称の延伸翼３４をそれぞれ延伸し、耳掛けベルト３５を係合して接続する。可動接続部３１とメインフレーム２の２個の可動接続耳１１との相対接触面上には、中心から四方へと放射状に延伸する刻み歯３１２、１１２をそれぞれ設置し、角度調整時に下顎ブラケット３を各角度に定位する。また、シールドカバー４頂点縁中央には切り欠き４１を設置する。【選択図】図１
0003179455.tif 000002
【実用新案登録請求の範囲】
【請求項１】
シールドカバーを簡単に取り外し/取り付けできるマスクの構造は、メインフレーム、シールドカバー、下顎ブラケット、耳掛けベルトを備え、前記メインフレームは、人の顔の曲線に近い弧状設計を施し、
前記シールドカバー下縁は前記メインフレーム上に結合し、前記メインフレームと共同で弧状曲面を形成し、前記メインフレーム中段には取り外し/取り付け可能で、挿みこみ部を備える固定プレートを係合して組み合わせ、
前記メインフレームを迅速に取り外し/取り付けし、前記シールドカバーを交換することができ前記固定プレートの挿みこみ部内には１個以上の棒状突起を設置し、これにより前記メインフレームは前記挿みこみ部内に緊密に係合され、
前記固定プレート上には少なくとも１個の可動接続部を設置し、前記下顎ブラケット上方両端には前記固定プレートの可動接続部と対応し、相互に可動状に接続する可動接続部を形成し、
これにより前記下顎ブラケットと前記固定プレートとは一体に可動状に接続し、前記メインフレームのシールドカバーと前記下顎ブラケットとの間の前、後傾斜角度が調整可能となり前記下顎ブラケット両側には、
対称の延伸翼をそれぞれ延伸し前記各延伸翼端部には耳掛けベルトを係合して接続し、これにより、耳に掛けて使用可能となり、前記下顎ブラケットと前記固定プレートとの間の角度調整に影響を及ぼすことはないことを特徴とする、
シールドカバーを簡単に取り外し/取り付けできるマスクの構造。
【請求項２】
前記固定プレート上に設置する可動接続部は可動接続孔を備える可動接続耳を備え、前記下顎ブラケット両端に設置する可動接続部は、前記固定プレートの可動接続耳と対応して相互に可動状に接続する可動接続部で、
前記下顎ブラケットの各可動接続部上にはピボットをそれぞれ設置し、前記固定プレートの可動接続耳の可動接続孔にそれぞれ対応し、これにより、前記下顎ブラケットと前記固定プレートとは可動状に一体に結合し、
前記メインフレームと前記シールドカバーとの前後傾斜角度が調整可能となることを特徴とする、請求項１に記載のシールドカバーを簡単に取り外し/取り付けできるマスクの構造。
【請求項３】
前記固定プレート上に設置する可動接続部は、端部に円形嵌合体を備える嵌合柱を設置し、前記下顎ブラケット両端に設置する可動接続部は前記円形嵌合体と対応し、相互に嵌合する弾性係合接続部を形成し、
前記各弾性係合接続部は少なくとも１組の弾性挟合部品により構成し、その内に、円形挟合空間を形成し前記固定プレートが設置する円形嵌合体を、前記下顎ブラケット上の弾性係合接続部内にそれぞれ嵌め入れ、
これにより前記弾性係合接続部の弾性挟合部品は、前記円形嵌合体を前記円形挟合空間内に挟持固定して定位し、こうして、前記下顎ブラケットは前記円形嵌合体を支点として前後に調整でき、
前記シールドカバーと前記下顎ブラケットの前後傾斜角度が調整可能となることを特徴とする、請求項１に記載のシールドカバーを簡単に取り外し/取り付けできるマスクの構造。
【請求項４】
前記メインフレーム中段には凹平面を形成し、これにより前記固定プレートの挿みこみ部は前記凹平面位置に挟持固定され、左右に移動することはないことを特徴とする、請求項１に記載のシールドカバーを簡単に取り外し/取り付けできるマスクの構造。
【請求項５】
前記下顎ブラケット上内側には持ち上げ部を形成し、これにより、マスクを外側へと持ち上げ、前記シールドカバーと口、鼻との間にある程度の間隔を形成することができ、
同時に、前記下顎ブラケットの持ち上げ部と前記メインフレームとの間には、通気貫通口を形成し、これにより、装着者の口から吐き出た呼気は前記通気貫通口により速やかに下方へと排出され、
鼻呼吸がスムーズになり熱気が前記シールドカバー内に滞留することがなくなり、装着者の快適感を大幅に高めることができることを特徴とする、請求項１に記載のシールドカバーを簡単に取り外し/取り付けできるマスクの構造。
【請求項６】
前記下顎ブラケット上内側には持ち上げ部を形成し、これにより、マスクを外側へと持ち上げ、前記シールドカバーと口、鼻との間にある程度の間隔を形成することができ、同時に、前記下顎ブラケットの持ち上げ部と前記固定プレートとの間には、
通気貫通口を形成し、これにより、装着者の口から吐き出た呼気は前記通気貫通口により速やかに下方へと排出され、鼻呼吸がスムーズになり熱気が前記シールドカバー内に滞留することがなくなり、装着者の快適感を大幅に高めることができることを特徴とする、請求項１に記載のシールドカバーを簡単に取り外し/取り付けできるマスクの構造。
【請求項７】
前記下顎ブラケットの可動接続部と前記係合挟台の可動接続耳との相対接触面上には、中心から四方へと放射状に延伸する刻み歯をそれぞれ設置し、
相互に噛み合う刻み歯の設計により、角度調整時に前記下顎ブラケットを各角度に定位することができることを特徴とする、請求項２に記載のシールドカバーを簡単に取り外し/取り付けできるマスクの構造。
【請求項８】
シールドカバーを簡単に取り外し/取り付けできるマスクの構造は、メインフレーム、シールドカバー、下顎ブラケット、１組の耳掛けベルトを備え、前記メインフレームは人の顔の曲線に近い弧状設計を施し、
前記シールドカバー下縁は前記メインフレーム上に結合し、前記メインフレームと共同で弧状曲面を形成し、前記メインフレーム中段には可動接続孔を備える１個或いは１個以上の可動接続耳を設置し、
前記下顎ブラケット両端両側には前記メインフレームの可動接続耳と対応し、相互に可動状に接続する可動接続部を設置し、前記下顎ブラケットの各可動接続部上にはピボットをそれぞれ設置し、
前記メインフレームに設置する可動接続耳の可動接続孔にそれぞれ対応し、これにより、前記下顎ブラケットと前記メインフレームとは一体に可動状に接続し、前記メインフレームと前記シールドカバーの前後傾斜角度が調整可能となり、
前記下顎ブラケット両側には対称の延伸翼をそれぞれ延伸し、前記各延伸翼端部には耳掛けベルトを係合して接続し、これにより、耳に掛けて使用可能となり、前記下顎ブラケットと前記メインフレームとの間の角度調整に影響を及ぼすことはないことを、
特徴とするシールドカバーを簡単に取り外し/取り付けできるマスクの構造。
【請求項９】
前記下顎ブラケットの可動接続部と前記メインフレームの可動接続耳との相対接触面上には、中心から四方へと放射状に延伸する刻み歯をそれぞれ設置し、相互に噛み合う刻み歯の設計により角度調整時に、
前記下顎ブラケットを各角度に定位することができることを特徴とする、請求項８に記載のシールドカバーを簡単に取り外し/取り付けできるマスクの構造。
【請求項１０】
前記下顎ブラケット上内側には持ち上げ部を形成し、これにより、マスクを外側へと持ち上げ、前記シールドカバーと口、鼻との間にある程度の間隔を形成することができ、
同時に、前記下顎ブラケットの持ち上げ部と前記メインフレームとの間には通気貫通口を形成し、これにより、装着者の口から吐き出た呼気は前記通気貫通口により速やかに下方へと排出され、
鼻呼吸がスムーズになり熱気が前記シールドカバー内に滞留することがなくなり、装着者の快適感を大幅に高めることができることを特徴とする、請求項８に記載のシールドカバーを簡単に取り外し/取り付けできるマスクの構造。
【請求項１１】
シールドカバーを簡単に取り外し/取り付けできるマスクの構造は、メインフレーム、シールドカバー、下顎ブラケット、１組の耳掛けベルトを備え、前記メインフレームは人の顔の曲線に近い弧状設計を施し、
前記メインフレーム中段内面には１組の係合接続柱を設置し、前記下顎ブラケット上には前記係合接続柱と対応する係合組合せ部を形成し、前記各係合組合せ部上には前記係合接続柱と相互に係合する係合組合せスロットを設置し、
前記係合組合せスロット内には棒状突起を設置し、前記シールドカバー下縁には前記メインフレーム中段内面の係合接続柱と対応する１組の係合孔を設置し、前記メインフレーム内面両側には挿みこみ部を備える弾性挿入片をそれぞれ設置し、
前記各弾性挟片の挿みこみ部内には棒状突起を形成し、組合せ時には、先ず、前記シールドカバー下縁の係合孔と、前記メインフレーム中段内面の係合接続柱とを係合して組み合わせ、次に、前記シールドカバー下縁両側端部を、
前記メインフレーム内面両側に設置する弾性挟片の挿みこみ部内にそれぞれ挿入して設置し、これにより、前記シールドカバーは挟持固定されて定位され、前記挿みこみ部内に設置する棒状突起により、
前記シールドカバー下縁両側端部の挟持固定をより緊密とし、さらに、前記下顎ブラケットと前記メインフレームを組合せ、前記下顎ブラケットの係合組合せスロット内に設置する棒状突起により、前記メインフレームの係合接続柱と緊密に係合し、
これにより、前記下顎ブラケットは前記メインフレームと迅速に組み立て/取り外しでき、前記シールドカバーの交換を容易に達成することができることを特徴とする、シールドカバーを簡単に取り外し/取り付けできるマスクの構造。
【請求項１２】
前記メインフレームの両端には耳掛けベルトをそれぞれ係合して接続し、これにより、耳に掛けて使用可能となることを特徴とする、請求項１１に記載のシールドカバーを簡単に取り外し/取り付けできるマスクの構造。
【請求項１３】
前記シールドカバーの下縁に設置する係合孔は、切り欠きにより置換することを特徴とする、請求項１１に記載のシールドカバーを簡単に取り外し/取り付けできるマスクの構造。
【請求項１４】
前記メインフレーム内面両側には挿みこみ部を備える弾性挿入片を設置しなくともよく、前記シールドカバーの下縁に１組の切り欠きを設置し、組合せ時には、先ず、前記シールドカバーの下縁の切り欠きを、前記メインフレーム内面の係合接続柱に挿入し相互に係合させ、次に、前記シールドカバー下縁外側面に接着、或いは高周波加工を施し、前記シールドカバー下縁を前記メインフレーム内面に結合し、さらに、前記下顎ブラケットと前記メインフレームとを組み合わせ、
これにより、前記下顎ブラケットと前記メインフレームとは迅速に組合せ及び分解されることを特徴とする、請求項１１に記載のシールドカバーを簡単に取り外し/取り付けできるマスクの構造。
【請求項１５】
前記メインフレーム内面中央には、別に、挿みこみ部を備える弾性挿入片を設置し前記挿みこみ部内には棒状突起を形成し、これにより、前記シールドカバー下縁弾性挿入片の挿みこみ部内に、緊密に挟持固定されることを特徴とする、
請求項１１に記載のシールドカバーを簡単に取り外し/取り付けできるマスクの構造。
【請求項１６】
シールドカバーを簡単に取り外し/取り付けできるマスクの構造は、メインフレーム、シールドカバー、下顎ブラケット、１組の耳掛けベルトを備え、前記メインフレームは人の顔の曲線に近い弧状設計を施し、
前記メインフレーム中段内面には可動接続孔を備える１組の可動接続耳を設置し、前記下顎ブラケット上方両端には前記可動接続耳と対応し、相互に可動状に接続する可動接続部を形成し、前記各可動接続部上にはピボットをそれぞれ設置し、
前記可動接続耳の可動接続孔にそれぞれ対応し、これにより、前記下顎ブラケットと前記メインフレームとは一体に結合し、前記メインフレームと前記シールドカバーの前後傾斜角度が調整可能となり、前記下顎ブラケット両側には対称の延伸翼をそれぞれ延伸し、前記シールドカバー下縁には前記メインフレーム中段内面の可動接続耳の頚部と対応する係合接続孔を設置し、前記各係合接続孔下方には幅が狭い挿入口を備え、前記メインフレーム内面両側には挿みこみ部を備える弾性挟片をそれぞれ設置し、
前記各弾性挟片の挟槽内には棒状突起を形成し、組合せ時には、先ず、前記シールドカバー下縁の係合接続孔槽下方の挿入口を、前記メインフレーム中段内面の可動接続耳の頚部にそれぞれ対応させ、下方へと押し、
こうして、前記頚部は前記挿入口を適度に開かせた後、前記係合接続孔内に滑って入り、前記挿入口は材料の弾性によりもとの幅を回復し、こうして、前記係合接続孔は前記メインフレーム中段内面の可動接続耳の頚部とそれぞれ一体に係合して組み合わされ、次に、前記シールドカバー下縁両側端部を前記メインフレーム内面両側に設置する弾性挟片の挿みこみ部内にそれぞれ挿入して設置し、これにより、前記シールドカバーは挟持固定されて定位され、
前記挿みこみ部内に設置する棒状突起により、前記シールドカバー下縁両側端部の挟持固定をより緊密とし、取り外し時には前記シールドカバーを引き上げれば前記シールドカバーの係合接続孔は、
前記メインフレーム中段内面の可動接続耳の頚部から離脱し、前記シールドカバーを取外すことができ、前記シールドカバーを迅速に交換するという目的を達成することができることを特徴とする、
シールドカバーを簡単に取り外し/取り付けできるマスクの構造。
【請求項１７】
前記頚部前側にはガード片を設置し、前記シールドカバー下縁はさらに前記メインフレームに密着することを特徴とする、請求項１６に記載のシールドカバーを簡単に取り外し/取り付けできるマスクの構造。
【請求項１８】
前記各延伸翼端部には耳掛けベルトを係合して接続し、これにより耳に掛けて使用でき、前記下顎ブラケットと固定プレートとの間の角度調整に影響しないことを特徴とする、請求項１６に記載のシールドカバーを簡単に取り外し/取り付けできるマスクの構造。
【請求項１９】
前記下顎ブラケットの可動接続部と前記メインフレームの２個の可動接続耳との相対接触面上には、中心から四方へと放射状に延伸する刻み歯をそれぞれ設置し、相互に噛み合う刻み歯の設計により角度調整時に前記下顎ブラケットを各角度に定位することができることを特徴とする、請求項１６に記載のシールドカバーを簡単に取り外し/取り付けできるマスクの構造。
【請求項２０】
前記メインフレーム内面中央には、別に、挿みこみ部を備える弾性挿入片を設置し前記挿みこみ部内には棒状突起、或いは突起部を形成し、これにより、前記シールドカバーを前記メインフレームの弾性挿入片の挿みこみ部内に挟持固定し、
こうして前記シールドカバーは定位されることを特徴とする、請求項１６に記載のシールドカバーを簡単に取り外し/取り付けできるマスクの構造。
【請求項２１】
前記メインフレーム上には端部に円形嵌合体を備え、しかも頚部を備える１組或いは１個の嵌合柱を設置し、前記下顎ブラケット上には前記円形嵌合体と対応し、相互に係合する１組或いは１個の弾性係合接続部を形成し、
前記各弾性係合接続部は少なくとも１組の弾性挟合部品により構成され、その内部には円形挟合空間を形成し前記メインフレームに設置する円形嵌合体を、前記下顎ブラケット上の弾性嵌合接続部内に組み合わせて設置し、
こうして、前記弾性係合接続部の弾性挟合部品により、前記円形嵌合体を円形挟合空間内に挟持固定し、これにより、前記下顎ブラケットは前記円形嵌合体を支点として前後に調整可能となり、
前記シールドカバーと前記下顎ブラケットの前後傾斜角度が調整可能となり、前記シールドカバー下縁の係合接続孔下方の挿入口を、前記メインフレーム中段内面の円形嵌合体を備える嵌合柱の頚部にそれぞれ対応させ下方へと押し、
こうして、前記頚部は前記挿入口を適度に開かせた後、前記係合接続孔内に滑って入り、前記挿入口は材料の弾性によりもとの幅を回復し、こうして、前記係合接続孔は前記メインフレーム中段内面の円形嵌合体を備える嵌合柱の頚部と、
それぞれ一体に係合して組み合わされることを特徴とする、請求項１６に記載のシールドカバーを簡単に取り外し/取り付けできるマスクの構造。
【考案の詳細な説明】
【技術分野】
【０００１】
本考案はシールドカバーを簡単に取り外し/取り付けできるマスクの構造に関し、特に唾液の飛散を防止でき下顎ブラケットは上下高さ、及び前後傾斜角度が調整でき迅速に交換可能なシールドカバーを簡単に取り外し/取り付けできるマスクの構造に関する。
【背景技術】
【０００２】
従来のマスクの設計は唾液の飛散を防止する機能を備える。しかし、その下顎ブラケットとシールドカバーは同一軸線形で、しかも個人の顔は下顎形状と長さ、下顎と鼻との間の距離、鼻の大きさなどそれぞれ異なるため、装着後、シールドカバーと鼻及び口との距離が接近し過ぎるという問題があった。これにより、話す際の明晰度に影響し、またメガネが曇るという状況により視界に悪影響を及ぼし、呼吸がスムーズにできないという状態も発生していた。本考案は従来のマスクの構造の上記した欠点に鑑みてなされたものである。
【考案の概要】
【考案が解決しようとする課題】
【０００３】
本考案が解決しようとする第一の課題は、メインフレーム中段に取り外し/取り付け可能で、挿みこみ部を備える固定プレートを係合して組合せ、これによりメインフレームを迅速に取り外し/取り付けし、交換できるシールドカバーを簡単に取り外し/取り付けできるマスクの構造を提供することである。
本考案が解決しようとする第二の課題は、固定プレート上に可動の接続孔を備える１組の可動接続耳を設置し、下顎ブラケット上には固定プレートの1組の可動接続耳と相互に可動状に接続する１組の可動接続部を形成し、各可動接続部上にはそれぞれピボットを設置し、これにより下顎ブラケットと固定プレートとが一体に可動状に接続後、下顎ブラケットと固定プレートとの間の相対角度を調整可能なシールドカバーを簡単に取り外し/取り付けできるマスクの構造を提供することである。
本考案が解決しようとする第三の課題は、下顎ブラケット両側に対称な延伸翼をそれぞれ延伸し、各延伸翼端部には耳掛けベルトを係合して接続し、これにより耳に掛けて使用でき、下顎ブラケットと固定プレートとの間の角度調整に影響しないシールドカバーを、簡単に取り外し/取り付けできるマスクの構造を提供することである。
本考案が解決しようとする第四の課題は、下顎ブラケット持ち上げ部と固定プレートとの間に通気貫通口を形成し、装着者の口から吐き出た呼気は通気貫通口より速やかに下方へと排出されるシールドカバーを簡単に取り外し/取り付けできるマスクの構造を提供することである。
【課題を解決するための手段】
【０００４】
上記課題を解決するため、本考案は下記のシールドカバーを簡単に取り外し/取り付けできるマスクの構造を提供する。
【考案の効果】
【０００５】
本考案のシールドカバーを簡単に取り外し/取り付けできるマスクの構造は、唾液の飛散を防止でき下顎ブラケットは上下高さ及び、前後傾斜角度が調整でき迅速に交換可能である。
【図面の簡単な説明】
【０００６】
【図１】本考案第一実施例の立体分解図である。
【図２】本考案の組合せ断面図である。
【図３】本考案の組合せ立体図である。
【図４】本考案第二実施例の立体分解図である。
【図５】本考案第二実施例の組合せ立体図である。
【図６】本考案第三実施例の立体分解図である。
【図７】本考案第三実施例の局部拡大図である。
【図８】本考案第三実施例の組合せ断面図である。
【図９】本考案第三実施例の組合せ立体図である。
【図１０】本考案第三実施例において、固定プレートと下顎ブラケット上に、相互に係合組合せ可能な１個の円形嵌合体と弾性係合接続部をそれぞれ設置する様子を示す立体分解図である。
【図１１】本考案第四実施例の立体分解図である。
【図１２】本考案第四実施例の組合せ断面図である。
【図１３】本考案第四実施例の組合せ立体図である。
【図１４】本考案第四実施例において、メインフレームと下顎ブラケット上に、相互に係合組合せ可能な１個の円形嵌合体と弾性係合接続部をそれぞれ設置する様子を示す立体分解図である。
【図１５】本考案第五実施例の立体分解図である。
【図１６】本考案第五実施例の立体図である。
【図１７】本考案下顎ブラケット上に設置する係合組合せ部の局部拡大図である。
【図１８】本考案の図１５中においてシールドカバー下縁に設置する係合孔を、切り欠きにより置換する実施例の立体分解図である。
【図１９】図１８中のメインフレーム内面両側及び中央に、挿みこみ部を備える弾性挿入片を設置しない実施例の立体分解図である。
【図２０】図１８に示す構造の立体図である。
【図２１】本考案において、交換可能シールドカバーと下顎ブラケットの、前、後傾斜角度を調整可能な実施例の立体分解図である。
【図２２】本考案において、交換可能シールドカバーと下顎ブラケットの、前、後傾斜角度を調整可能な実施例の立体分解図である。
【図２３】図２１に示すシールドカバー係合接続孔とメインフレーム可動接続耳頚部が組み合わされ接続する様子の局部立体分解図である。
【図２４】図２１に示すシールドカバー係合接続孔とメインフレーム可動接続耳頚部が組み合わされ接続する様子の局部断面図である。
【図２５】本考案において、交換可能シールドカバーと下顎ブラケットの、前、後傾斜角度を調整可能な別種の実施例の立体分解図である。
【図２６】本考案において、交換可能シールドカバーと下顎ブラケットの、前、後傾斜角度を調整可能な別種の実施例の立体図である。
【図２７】図２５に示すシールドカバー係合接続孔とメインフレーム可動接続耳頚部が組み合わされ接続する様子の局部立体分解図である。
【考案を実施するための形態】
【０００７】
以下に図面を参照しながら本考案を実施するための最良の形態について詳細に説明する。
【実施例】
【０００８】
図１、図２、図３に示すように、本考案シールドカバーを簡単に取り外し/取り付けできるマスクの構造は、メインフレーム２、シールドカバー４、下顎ブラケット３、１組の耳掛けベルト３５を備える。
メインフレーム２は、人の顔の曲線に近い弧状設計を施す。シールドカバー４下縁６２１は、メインフレーム２上に結合し、メインフレーム２と共同で弧状曲面を形成する。
メインフレーム２中段には凹平面２２を形成する。凹平面２２位置には、取り外し/取り付け可能で挿みこみ部１２を備える固定プレート１を係合して組み合わせ、メインフレーム２を迅速に取り外し/取り付けし、シールドカバー４を交換することができる。固定プレート１の挿みこみ部１２内には１個以上の棒状突起１２１を設置する。これにより、メインフレーム２は挿みこみ部１２内に緊密に係合される。
固定プレート１上には、可動接続孔１１１を備える１組の可動接続耳１１を設置する。下顎ブラケット３上方両端には固定プレート１の可動接続耳１１と対応し、相互に可動状に接続する可動接続部３１を形成する。
各可動接続部３１上にはピボット３１１をそれぞれ設置し、固定プレート１可動接続耳１１の可動接続孔１１１にそれぞれ対応する。これにより、下顎ブラケット３と固定プレート１とは一体に可動状に接続し、メインフレーム２とシールドカバー４の前後傾斜角度を調整可能となる。下顎ブラケット３両側には対称の延伸翼３４をそれぞれ延伸する。各延伸翼３４端部には耳掛けベルト３５を係合して接続する。
これにより、耳に掛けて使用可能となり下顎ブラケット３と固定プレート１との間の角度調整に影響を及ぼすことはない。
同時に、下顎ブラケット３の可動接続部３１とメインフレーム２の２個の可動接続耳１１との相対接触面上には、中心から四方へと放射状に延伸する刻み歯３１２、１１２をそれぞれ設置する。
相互に噛み合う刻み歯３１２、１１２の設計により、角度調整時に下顎ブラケット３を各角度に定位することができる。下顎ブラケット３上内側には持ち上げ部３３を形成する。
これにより、マスクを外側へと持ち上げシールドカバー４と口、鼻との間にある程度の間隔を形成することができる。
同時に、下顎ブラケット３持ち上げ部３３とメインフレーム２との間には、通気貫通口３３１を形成する。これにより、装着者の口から吐き出た呼気は、通気貫通口３３１により速やかに下方へと排出される。
また、シールドカバー４頂点縁中央位置には切り欠き４１を設置する。これにより、鼻呼吸がスムーズになり熱気がシールドカバー４内に滞留することがなくなり、装着者の快適感を大幅に高めることができる。
【０００９】
本考案第二実施例ではメインフレーム２内面中段に、可動接続孔２１１を備える１組の可動接続耳２１を直接設置する。
メインフレーム２の２個の可動接続耳２１と下顎ブラケット３の可動接続部３１との相対接触面上には、相互に対応する放射状の刻み歯３１２、２１２をそれぞれ設置し、下顎ブラケット３両端の可動接続部３１上のピボット３１１と相互に可動状に接続する。
これにより、下顎ブラケット３とメインフレーム２とは一体に可動状に接続し、メインフレーム２とシールドカバー４との前後傾斜角度が調整可能となり、定位を達成することができる(図４、図５参照)。
【００１０】
図６〜図９に示すように、本考案第三実施例はメインフレーム２、シールドカバー４、下顎ブラケット３、１組の耳掛けベルト３５を備える。メインフレーム２は、人の顔の曲線に近い弧状設計を施す。
シールドカバー４下縁６２１はメインフレーム２上に結合し、メインフレーム２と共同で弧状曲面を形成する。メインフレーム２中段には凹平面２２を形成する。
凹平面２２位置には、取り外し/取り付け可能で挿みこみ部１２を備える固定プレート１を係合して組み合わせ、メインフレーム２を迅速に取り外し/取り付けし、シールドカバー４を交換することができる。
固定プレート1の挿みこみ部１２内には１個以上の棒状突起１２１を設置する。これにより、メインフレーム２は挿みこみ部１２内に緊密に係合される。
固定プレート１上には端部に円形嵌合体１３１を備える１組、或いは１個(図１０参照)の嵌合柱１３を設置する。
下顎ブラケット３上には円形嵌合体１３１と対応し、相互に嵌合する１組或いは１個(図１０参照)の弾性係合接続部３２を形成する。
各弾性係合接続部３２は少なくとも１組の弾性挟合部品３２２により構成し、その内に、円形挟合空間３２１を形成する。固定プレート１が設置する円形嵌合体１３１を、下顎ブラケット３上の弾性係合接続部３２内にそれぞれ嵌め入れ、これにより、弾性係合接続部３２の弾性挟合部品３２２は、円形嵌合体１３１を円形挟合空間３２１内に挟持固定して定位する。
こうして、下顎ブラケット３は円形嵌合体１３１を支点とし前後に調整でき、シールドカバー４と下顎ブラケット３の前後傾斜角度が調整可能となる。下顎ブラケット３両側には対称の延伸翼３４をそれぞれ延伸する。
各延伸翼３４端部には、耳掛けベルト３５を係合して接続する。これにより、耳に掛けて使用可能となり、下顎ブラケット３と固定プレート１との間の角度調整に影響を及ぼすことはない。
下顎ブラケット３上内側には持ち上げ部３３を形成する。これにより、マスクを外側へと持ち上げシールドカバー４と口、鼻との間にある程度の間隔を形成することができる。
同時に、下顎ブラケット３持ち上げ部３３とメインフレーム２との間には通気貫通口３３１を形成する。これにより、装着者の口から吐き出た呼気は、通気貫通口３３１により速やかに下方へと排出される。
また、シールドカバー４頂点縁中央位置には切り欠き４１を設置する。これにより、鼻呼吸がスムーズになり熱気がシールドカバー４内に滞留することがなくなり、装着者の快適感を大幅に高めることができる。
【００１１】
図１１〜図１３に示すように、本考案第四実施例は図６〜図９に示す第三実施例中の、端部に円形嵌合体１３１を備える嵌合柱１３を、メインフレーム２内面中段に設置する。
円形嵌合体１３１の嵌合柱１３は、１組或いは１個(図１４参照)設置する。
メインフレーム２に設置する１組或いは１個(図１４参照)の円形嵌合体１３１は、下顎ブラケット３上の１組或いは１個(図１４参照)の弾性係合接続部３２内にそれぞれ嵌め入れられ、これにより、弾性係合接続部３２の弾性挟合部品３２２は、円形嵌合体１３１を円形挟合空間３２１内に挟持固定して定位する。
こうして、下顎ブラケット３は円形嵌合体１３１を支点とし前後に調整でき、シールドカバー４と下顎ブラケット３の前後傾斜角度が調整可能となる。
【００１２】
図１５、図１６示すように、本考案シールドカバーを簡単に取り外し/取り付けできるマスクの構造の第五実施例は、メインフレーム５、シールドカバー６、下顎ブラケット７、１組の耳掛けベルト５３を備える。
メインフレーム５は、人の顔の曲線に近い弧状設計を施す。メインフレーム５中段内面には１組の係合接続柱５１を設置する。下顎ブラケット７上には係合接続柱５１と対応する係合組合せ部７１を形成する。
各係合組合せ部７１上には、係合接続柱５１と相互に係合する係合組合せスロット７２を設置する。係合組合せスロット７２内には棒状突起７２１を設置する(図１７参照)。
シールドカバー６下縁６２１には、メインフレーム５中段内面の係合接続柱５１と対応する１組の係合孔６１を設置する。メインフレーム５内面両側には、挿みこみ部５２１を備える弾性挿入片５２をそれぞれ設置する。
各弾性挿入片５２の挿みこみ部５２１内には棒状突起５２２、或いは突起部を形成する。組合せ時には、先ず、シールドカバー６下縁６２１の係合孔６１と、メインフレーム５中段内面の係合接続柱５１とを係合して組み合わせる。
次に、シールドカバー６下縁６２１両側端部６２を、メインフレーム５内面両側に設置する弾性挿入片５２の挿みこみ部５２１内に、それぞれ挿入して設置する。
これにより、シールドカバー６は挟持固定されて定位され挿みこみ部５２１内に設置する棒状突起５２２により、シールドカバー６下縁６２１両側端部６２の挟持固定をより緊密とする。
さらに、下顎ブラケット７とメインフレーム５を組合せ下顎ブラケット７係合組合せスロット７２内に設置する棒状突起７２１により、メインフレーム５の係合接続柱１と緊密に係合する。
これにより、下顎ブラケット７は、メインフレーム５と迅速に組み立て/取り外しでき、シールドカバー６の交換を容易に達成することができる。メインフレーム５の両端には、耳掛けベルト３５を係合して接続する。
これにより、耳に掛けて使用可能となりしかもシールドカバー６下縁６２１に設置する係合孔６１は、切り欠き６１１により置換する。かつ、下縁に切り欠き６１１を設置するこの種のシールドカバー６を使用する時には、メインフレーム５内面中央には、別に、挿みこみ部５４１を備える弾性挿入片５４を設置する。挿みこみ部５４１内には棒状突起５４２、或いは突起部を形成する。
組合せ時には先ず、シールドカバー６下縁６２１の切り欠き６１１を、メインフレーム５内面中の弾性挿入片５４挿みこみ部５４１内に挿入する。
同時に、シールドカバー６下縁６２１両側端部６２を、メインフレーム５内面両側に設置する弾性挟片５２の挿みこみ部５２１内に、それぞれ挿入して設置する。これにより、シールドカバー６は、挟持固定されて定位される。
さらに、下顎ブラケット７とメインフレーム５を組合せる。これにより、下顎ブラケット７はメインフレーム５と迅速に組み立て/取り外しでき、しかもシールドカバー６は上方へと抜き取って交換することができ、シールドカバー６の交換をより容易にすることができる(図１８、図２０参照)。下顎ブラケット７上内側には持ち上げ部７３を形成する。
これにより、マスクを外側へと持ち上げシールドカバー４と口、鼻との間にある程度の間隔を形成することができる。
【００１３】
この他、メインフレーム５内面両側、及び中央には、挿みこみ部５２１、５４１を備える弾性挿入片５２、５４を設置しなくともよい。
組合せ時には、先ず、シールドカバー６下縁６２１の切り欠き６１１を、メインフレーム５内面中の係合接続柱５１に挿入し相互に係合させる。
次に、シールドカバー６下縁６２１外側面に、接着、或いは高周波加工を施す。これにより、シールドカバー６下縁６２１はメインフレーム５内面に結合する。
さらに、下顎ブラケット７とメインフレーム５とを組み合わせる。これにより、下顎ブラケット７とメインフレーム５とは迅速に組合せ及び分解される(図１９参照)。
【００１４】
図２１〜図２３に示すように本考案の別種の実施例は、メインフレーム８、シールドカバー６、下顎ブラケット９、１組の耳掛けベルト９５を備える。メインフレーム８は、人の顔の曲線に近似した弧状設計を施す。
メインフレーム８中段内面には、可動接続孔８１１を備える１組の可動接続耳８１を設置する。下顎ブラケット９上方両端には可動接続耳８１と対応し、相互に可動状に接続する１組の可動接続部９１を形成する。
各可動接続部９１上にはピボット９１１をそれぞれ設置し、可動接続耳８１の可動接続孔８１１にそれぞれ対応することができる。
これにより、下顎ブラケット９とメインフレーム８とは一体に可動状に結合し、メインフレーム８とシールドカバー６の前、後傾斜角度が調整することができる。
下顎ブラケット９両側には、対称の延伸翼９４をそれぞれ延伸する。各延伸翼９４端部には、耳掛けベルト９５を係合して接続する。
これにより、耳に掛けて使用可能となり、下顎ブラケット９とメインフレーム８との間の角度調整に影響を及ぼすことはない。
同時に、下顎ブラケット９の可動接続部９１とメインフレーム８の２個の可動接続耳８１との相対接触面上には、中心から四方へと放射状に延伸する刻み歯９１２、８１２をそれぞれ設置する。
相互に噛み合う刻み歯９１２、８１２の設計により、角度調整時に下顎ブラケット９を各角度に定位することができる。
シールドカバー６下縁６２１には、メインフレーム８中段内面の可動接続耳８１頚部８１３と対応する１組の係合接続孔６１２を設置する。
各係合接続孔６１２下方には幅が狭い挿入口６１３を備え、メインフレーム８内面両側には挿みこみ部８２１を備える弾性挿入片８２をそれぞれ設置する。
各弾性挿入片８２の挿みこみ部８２１内には棒状突起８２２、或いは突起部を形成する。
組合せ時には、先ず、シールドカバー６下縁６２１の係合接続孔６１２下方の挿入口６１３を、メインフレーム８中段内面の可動接続耳８１の頚部８１３にそれぞれ対応させ下方へと押す。
こうして、頚部８１３は挿入口６１３を適度に開かせた後、係合接続孔６１２内に滑って入る。挿入口６１３は材料の弾性によりもとの幅を回復する。
こうして、係合接続孔６１２は、メインフレーム８中段内面の可動接続耳８１の頚部８１３とそれぞれ一体に係合して組み合わされる(図２４参照)。
次に、シールドカバー６下縁６２１両側端部６２をメインフレーム８内面両側に設置する弾性挿入片８２の挿みこみ部８２１内に、それぞれ挿入して設置する。
これにより、シールドカバー６は挟持固定されて定位され、挿みこみ部８２１内に設置する棒状突起８２２により、シールドカバー６下縁６２１両側端部６２の挟持固定をより緊密とする。
さらに、下顎ブラケット７とメインフレーム５を組合せ、下顎ブラケット７係合組合せスロット７２内に設置する棒状突起７２１により、メインフレーム５の係合接続柱５１と緊密に係合する。
こうして、シールドカバー６を引き上げれば、シールドカバー６を取外すことができ、シールドカバー６を迅速に交換するという目的を達成することができる。
しかも、頚部８１３前側にはガード片８１４を設置し、シールドカバー６下縁６２１はさらにメインフレーム８に密着する。下顎ブラケット９上内側には持ち上げ部３３を形成する。
これにより、マスクを外側へと持ち上げ、シールドカバー６と口、鼻との間にある程度の間隔を形成することができる。
メインフレーム８内面中央には別に、挿みこみ部８４１を備える弾性挿入片８４を設置し、挿みこみ部８４１内には棒状突起８４２、或いは突起部を形成する。
これにより、シールドカバー６をメインフレーム８弾性挿入片８４の挿みこみ部８４１内に挟持固定でき、シールドカバー６は挟持固定されて定位される。
【００１５】
図２５〜図２７に示すように、本考案のさらに別種の実施例において、その主要な構成部材は前記した図２１〜２３に示す実施例とおおよそ相同である。
両者の差異はメインフレーム８上に、端部に円形嵌合体８３を備える１組或いは１個の嵌合柱を設置する点である。
下顎ブラケット９上には円形嵌合体８３と対応し、相互に係合する１組或いは１個の弾性係合接続部９２を形成する。
各弾性係合接続部９２は少なくとも１組の弾性挟合部品９２２により構成され、その内部には円形挟合空間９２１を形成し、メインフレーム８に設置する円形嵌合体８３を、下顎ブラケット９上の弾性嵌合接続部９２内に組み合わせて設置する。
こうして、弾性係合接続部９２の弾性挟合部品９２２により、円形嵌合体８３を円形挟合空間９２１内に挟持固定して定位する。
これにより、下顎ブラケット９は円形嵌合体８３を支点として、前後に調整可能となりシールドカバー６と下顎ブラケット９の前後傾斜角度が調整可能となる。
【００１６】
同様に、円形嵌合体８３の嵌合柱頚部８１３前側にはガード片８１４を形成し、シールドカバー６下縁６２１はメインフレーム８にさらに密着する。
【００１７】
上記の本考案名称と内容は、本考案技術内容の説明に用いたのみで本考案を限定するものではない。本考案の精神に基づく等価応用或いは部品（構造）の転換、置換、数量の増減はすべて本考案の保護範囲に含むものとする。
【産業上の利用可能性】
【００１８】
本考案は実用新案登録の要件である新規性を備え、従来の同類製品に比べ十分な進歩を有し、実用性が高く社会のニーズに合致しており産業上の利用価値は非常に大きい。  
【符号の説明】
【００１９】
１  固定プレート
１１、２１、８１  可動接続耳
１１１、２１１、８１１  可動接続孔
１１２、２１２、３１２、８１２、９１２  刻み歯
１２  挿みこみ部
１２１、５２２、５４２、７２１、８２２、８４２  棒状突起
１３  嵌柱
１３１、８３  円形嵌合体
２、５、８  メインフレーム
２２  凹平面
３、７、９  下顎ブラケット
３１、９１  可動接続部
３１１、９１１  ピボット
３２、９２  弾性係合接続部
３２１、９２１  円形挟合空間
３２２、９２２  弾性挟合部品
３３、７３、９３  持ち上げ部
３３１  通気貫通口
３４、９４  延伸翼
３５、５３、９５  耳掛けベルト
４、６  シールドカバー
４１  切り欠き
５１  係合接続柱
５２、５４、８２、８４  弾性挿入片
５２１、５４１、８２１、８４１  挿みこみ部
６１  係合孔
６１１  切り欠き
６１２  係合接続孔
６１３  挿入口
６２  側端部
６２１  下縁
７１  係合組合せ部
７２  係合組合せスロット
８１３  頚部
８１４  ガード片
【図１】
0003179455.tif 000003
【図２】
0003179455.tif 000004
【図３】
0003179455.tif 000005
【図４】
0003179455.tif 000006
【図５】
0003179455.tif 000007
【図６】
0003179455.tif 000008
【図７】
0003179455.tif 000009
【図８】
0003179455.tif 000010
【図９】
0003179455.tif 000011
【図１０】
0003179455.tif 000012
【図１１】
0003179455.tif 000013
【図１２】
0003179455.tif 000014
【図１３】
0003179455.tif 000015
【図１４】
0003179455.tif 000016
【図１５】
0003179455.tif 000017
【図１６】
0003179455.tif 000018
【図１７】
0003179455.tif 000019
【図１８】
0003179455.tif 000020
【図１９】
0003179455.tif 000021
【図２０】
0003179455.tif 000022
【図２１】
0003179455.tif 000023
【図２２】
0003179455.tif 000024
【図２３】
0003179455.tif 000025
【図２４】
0003179455.tif 000026
【図２５】
0003179455.tif 000027
【図２６】
0003179455.tif 000028
【図２７】
0003179455.tif 000029